(57)【要約】【課題】  リード線とトリガ線による影の発生態様を工夫して、最終的に得られる画像の明るさむらや色むらへの影響を低減する。【解決手段】  バルブ部２と封止部３を有した発光ランプ１０が反射鏡２０の光軸に沿って固定されたものであって、反射鏡２０の反射光束領域を横切って封止部３の片側の導体に電力を供給するリード線６Ａと、封止部３の一方側導体と接続しバルブ部２の光射出領域を横切って封止部３の他方側に向かって配線されるトリガ線６Ｂとを備えた照明装置において、リード線６Ａとトリガ線６Ｂを、反射鏡２０の光軸を含む所定の基準面に対して等しい角度で該基準面の両側の対向する空間に分配配線する。【選択図】  図２
2005093207.tif 000002
【特許請求の範囲】
【請求項１】
一対の電極が内蔵されたバルブ部及び該バルブ部の両側に該バルブ部と一体に形成され前記電極につながる導体が配設された封止部を有する発光ランプが、前記発光ランプからの光を所定方向に反射する反射鏡の光軸上に固定され前記封止部の片側の先端が前記反射鏡の反射面側に位置してなる照明装置であって、前記反射鏡の反射光束領域を横切って前記封止部の片側の前記導体に電力を供給するリード線と、一方側の前記封止部導体と接続し前記バルブ部の光射出領域を横切って他方側の前記封止部に向かって配線されるトリガ線とを備えた照明装置において、
前記リード線と前記トリガ線とを前記反射鏡の光軸を含む所定の基準面に対して等しい角度で該基準面の両側の対向する空間に分配配線したことを特徴とする照明装置。
【請求項２】
前記反射鏡からの照明光を複数の部分光束に分割する複数のレンズセルからなるインテグレータレンズアレイを備え、各レンズセルが短辺と長辺からなる矩形形状であるものにおいて、
前記基準面を前記レンズセルの長辺方向と平行にしたことを特徴とする請求項１記載の照明装置。
【請求項３】
前記反射鏡からの照明光を複数の部分光束に分割する複数のレンズセルからなるインテグレータレンズアレイを備え、各レンズセルが短辺と長辺からなる矩形形状であるものにおいて、
前記基準面を前記レンズセルの短辺方向と平行にしたことを特徴とする請求項１記載の照明装置。
【請求項４】
前記反射鏡からの照明光を複数の部分光束に分割するインテグレータロッドを備え、前記ロッドの光出口が短辺と長辺からなる矩形形状であるものにおいて、
前記基準面を前記ロッドの長辺方向と平行にしたことを特徴とする請求項１記載の照明装置。
【請求項５】
前記反射鏡からの照明光を複数の部分光束に分割するインテグレータロッドを備え、前記ロッドの光出口が短辺と長辺からなる矩形形状であるものにおいて、
前記基準面を前記ロッドの短辺方向と平行にしたことを特徴とする請求項１記載の照明装置。
【請求項６】
前記角度をθ１、前記短辺の長さをｌ、前記長辺の長さをｄとしたとき、
θ１＝tan-1(l/d)
としたことを特徴とする請求項２または４に記載の照明装置。
【請求項７】
前記角度をθ２、前記短辺の長さをｌ、前記長辺の長さをｄとしたとき、
θ２＝tan-1(d/l)
としたことを特徴とする請求項３または５に記載の照明装置。
【請求項８】
照明装置からの照明光を光変調装置に入射し画像を生成してその画像を投写するプロジェクタにおいて、前記照明装置として請求項２乃至７のいずれかに記載の照明装置を備え、前記該照明装置からの部分光束を前記光変調装置の入射面に重ねて入射させることを特徴とするプロジェクタ。
【発明の詳細な説明】
【技術分野】
【０００１】
本発明は、照明装置及びその照明装置を備えたプロジェクに関する。
【背景技術】
【０００２】
放電用電極が内蔵されたバルブ部とそのバルブ部の両側に該バルブ部と一体に形成され放電用電極につながる導体が配設された封止部を有した発光ランプ（放電ランプ）を、反射鏡の光軸上に配置した照明装置が従来から利用されている。このような照明装置において、放電用電極への電力供給は、両側の封止部に配置された導体に接続するリード線を該封止部の端部から引き出して行われている。そして、この照明装置の照明光をインテグレータレンズアレイなどを介してライトバルブなどの光変調装置に重ねて照射する際に、リード線の影がライトバルブ上で重複しないようにリード線を配線して、投写画像の明るさのむらや色むらを低減する技術が開示されている（例えば、特許文献１）。
【特許文献１】特開平１１−６５００２号公報
【発明の開示】
【発明が解決しようとする課題】
【０００３】
発光ランプと反射鏡を基本構成とした上記のような照明装置には、前述したリード線に加えて、ランプの放電開始を容易にするための補助電極として作用するトリガ線が、バルブ部を横切って一方側の封止部から他方側の封止部へ配線されているものもある。しかしながら、従来の場合には、そのようなトリガ線まで考慮した明るさのむらや色むらの低減までは考慮されていなかった。
本発明は上記課題に鑑みてなされたもので、発光ランプと反射鏡を基本構成とし、電力供給用リード線と補助電極として作用するトリガ線とを備えた照明装置であって、その照明光を、インテグレータレンズアレイやインテグレータロッドを介してライトバルブなどの光変調装置に重ねて照射（重畳照射）する場合に、それらリード線とトリガ線による影の発生態様を調整して、最終的に得られる画像の明るさのむらおよび色むらへの影響を低減し、あるいはその色むらなどの制御を容易にする照明装置を得ること、並びにそのような照明装置を備えたプロジェクタを提供することを目的とする。
【課題を解決するための手段】
【０００４】
本発明の照明装置は、一対の電極が内蔵されたバルブ部及び該バルブ部の両側に該バルブ部と一体に形成され前記電極につながる導体が配設された封止部を有する発光ランプが、前記発光ランプからの光を所定方向に反射する反射鏡の光軸上に固定され前記封止部の片側の先端が前記反射鏡の反射面側に位置してなる照明装置であって、前記反射鏡の反射光束領域を横切って前記封止部の片側の前記導体に電力を供給するリード線と、一方側の前記封止部導体と接続し前記バルブ部の光射出領域を横切って他方側の前記封止部に向かって配線されるトリガ線とを備えた照明装置において、前記リード線と前記トリガ線とを前記反射鏡の光軸を含む所定の基準面に対して等しい角度で該基準面の両側の対向する空間に分配配線したことを特徴とする。この照明装置は、インテグレータレンズアレイやインテグレータロッドに対して所定の関係に配置することで、照明装置から出て各インテグレータで分割された光を重ねて入射し画像を生成する光変調装置上で、リード線とトリガ線に起因する光の影を上下対称、左右対称、または上下左右対称に位置させることができる。上記影が上下対称又は左右対称となる場合、光変調装置で生成された画像の投写画像ではその影による明るさのむらおよび色むらの影響が低減し、またその規則性からその色むらなどの補正が行い易くなる。さらに、上記影が上下左右対称となる場合、光変調装置で生成された画像の投写画像では明るさのむらおよび色むらの影響がさらに低減する。
【０００５】
また、前記反射鏡からの照明光を複数の部分光束に分割する複数のレンズセルからなるインテグレータレンズアレイを備え、各レンズセルが短辺と長辺からなる矩形形状であるものにおいて、前記基準面を前記レンズセルの長辺方向と平行にしたことを特徴とする。この照明装置では、レンズセルの短辺が垂直方向となりその長辺が水平方向となるようにした場合、リード線とトリガ線に起因する光の影は、インテグレータレンズアレイで分割された光が重畳入射して画像を生成する光変調装置上で上下対称になる。これにより、光変調装置で生成された画像の投写画像では上記影による明るさのむらおよび色むらの影響が低減し、またその色むらなどの補正制御も容易となる。
【０００６】
また、前記反射鏡からの照明光を複数の部分光束に分割する複数のレンズセルからなるインテグレータレンズアレイを備え、各レンズセルが短辺と長辺からなる矩形形状であるものにおいて、前記基準面を前記レンズセルの短辺方向と平行にしたことを特徴とする。この照明装置では、レンズセルの短辺が垂直方向となりその長辺が水平方向となるようにした場合、リード線とトリガ線に起因する光の影は、インテグレータレンズアレイで分割された光が重畳入射して画像を生成する光変調装置上で左右対称になる。これにより、光変調装置で生成された画像の投写画像では上記影による明るさのむらおよび色むらの影響が低減し、またその色むらなどの補正制御も容易となる。
【０００７】
また、前記反射鏡からの照明光を複数の部分光束に分割するインテグレータロッドを備え、前記ロッドの光出口が短辺と長辺からなる矩形形状であるものにおいて、前記基準面を前記ロッドの長辺方向と平行にしたことを特徴とする。この照明装置では、ロッドの光出口の短辺が垂直方向となりその長辺が水平方向となるようにした場合、リード線とトリガ線に起因する光の影は、インテグレータロッドで分割された光が重畳入射して画像を生成する光変調装置上で上下対称になる。これにより、光変調装置で生成された画像の投写画像では上記影による明るさのむらおよび色むらの影響が低減し、またその色むらなどの補正制御も容易となる。
【０００８】
また、前記反射鏡からの照明光を複数の部分光束に分割するインテグレータロッドを備え、前記ロッドの光出口が短辺と長辺からなる矩形形状であるものにおいて、前記基準面を前記ロッドの短辺方向と平行にしたことを特徴とする。この照明装置では、ロッドの光出口の短辺が垂直方向となりその長辺が水平方向となるようにした場合、リード線とトリガ線に起因する光の影は、インテグレータロッドで分割された光が重畳入射して画像を生成する光変調装置上で左右対称になる。これにより、光変調装置で生成された画像の投写画像では上記影による明るさのむらおよび色むらの影響が低減し、またその色むらなどの補正制御も容易となる。
【０００９】
また、前記角度をθ１、前記短辺の長さをｌ、前記長辺の長さをｄとしたとき、
θ１＝tan-1(l/d)  または、
前記角度をθ２、前記短辺の長さをｌ、前記長辺の長さをｄとしたとき、
θ２＝tan-1(d/l)
としたことを特徴とする。これらの照明装置では、レンズセルまたはロッドの光出口の短辺が垂直方向となりそれらの長辺が水平方向となるようにした場合、リード線とトリガ線に起因する光の影は、それぞれのインテグレータで分割された光が重畳入射して画像を生成する光変調装置上で上下左右対称になる。これにより、光変調装置で生成された画像の投写画像の上記影による明るさのむらおよび色むらの影響が大きく低減する。
【００１０】
本発明のプロジェクタは、照明装置からの照明光を光変調装置に入射し画像を生成してその画像を投写するプロジェクタにおいて、前記照明装置として上記いずれかに記載の照明装置を備え、前記該照明装置からの部分光束を前記光変調装置の入射面に重ねて入射させることを特徴とする。これにより、投写画像の明るさのむらおよび色むらが改善されたプロジェクタが得られる。
【発明を実施するための最良の形態】
【００１１】
実施形態１
図１は本発明の実施形態１に係る照明装置１００の説明図である。この照明装置１００は、発光ランプ１０と反射鏡２０を基本的な構成要素としている。発光ランプ１０は、一対の放電用電極１が内蔵された略球状のバルブ部２を有する。そして、そのバルブ部２の両側にバルブ部２と一体になっていて、そのバルブ部２から連続して左右側に延設された封止部３を備える。バルブ部２と封止部３とは石英ガラスなどの透明材料により一体的に成形されている。封止部３の内部には、それぞれの電極１につながる導体４が配設されており、封止部３のそれぞれの端部からはそれら導体４とつながる電力供給用のリード線６，６Ａが引き出されている。特に、反射鏡２０の反射面側に位置する発光ランプ１０の封止部３の先端から出るリード線６Ａは、反射鏡２０の反射光束領域を横切って反射鏡２０の先端部周囲へ引き出されている。また、何れか一方側の封止部３の導体４と接続しその封止部３の端部から引き出され、バルブ部２の光射出領域を横切って他方側の封止部３に向かって配線されるトリガ線６Ｂを備えている。トリガ線６Ｂは、発光ランプの放電開始を容易にするための補助電極として作用する。このような発光ランプ１０としては、例えば、水銀ランプ、キセノンランプ、メタルハロイドランプなどが挙げられる。
【００１２】
反射鏡２０は、所定の方向に光を反射させるべく曲面形状、例えば回転楕円面形状をなす基板の内側面に反射膜を成膜したものである。反射鏡２０と発光ランプ１０とは、例えば、次のようにして組み付けられている。すなわち、反射鏡２０の光軸中心と発光ランプ１０の軸方向中心を一致させて、発光ランプ１０の一方の封止部３を反射鏡２０の底部に形成した穴に挿入し、その穴部にて反射鏡２０と発光ランプ１０とを接着剤などで固定する。反射鏡２０が回転楕円面形状をなす楕円型反射鏡の場合は、通常、その第一焦点に発光ランプ１０の一対の電極１の中心を位置させる。
【００１３】
リード線６Ａとトリガ線６Ｂは、反射鏡２０の光軸を含む所定の基準面に対して等しい角度で該基準面の両側の対向する空間に分配配線する。図２と図３は、図１の矢印Ｘ方向から見た照明装置１００におけるリード線６Ａとトリガ線６Ｂの配線説明図である。図２では、基準面を反射鏡２０の光軸を含む水平面とし、リード線６Ａとトリガ線６Ｂとをその水平基準面に対して等しい角度θ１で該基準面の両側の対向する空間に分配配線したものである。また、図３では、基準面を反射鏡２０の光軸を含む垂直面とし、リード線６Ａとトリガ線６Ｂとをその垂直基準面に対して等しい角度θ２で該基準面の両側の対向する空間に分配配線したものである。
【００１４】
実施形態２
図４は本発明の実施形態２に係る照明装置１００Ａの説明図である。この照明装置１００Ａは、実施形態１の照明装置１００に加えて、照明装置１００から射出された光束を複数の部分光束にする第１レンズアレイ３２０と、第１レンズアレイ３２０を出た光束を所定の方向に集光する第２レンズアレイ３４０とを備える。これらの第１レンズアレイ３２０と第２レンズアレイ３４０はインテグレータレンズアレイとも呼ばれる。また、照明装置１００を出た光が平行光束でない場合には、照明装置１００と第１レンズアレイ３２０との間に、光束を平行化する凹レンズ（又は平行化レンズ）２００が通常配置される。さらに、ここでは、この照明装置１００Ａの作用を説明するため、第２レンズアレイ３４０の光軸方向前方に、照明対象物としての液晶パネル４１０と、液晶パネル４１０で生成された画像を投射する投写レンズ６００とを追加配置している。
【００１５】
第１レンズアレイ３２０を構成する各小レンズ（レンズセル）３２１は、照明対象物である液晶パネル４１０の短辺と長辺との寸法比とほぼ同じ寸法比の短辺と長辺とを有した矩形形状からなる。そのような小レンズ３２１が、長辺方向（ここでは水平方向）に複数列、短辺方向（ここでは垂直方向）に複数行配置されて一つの第１レンズアレイ３２０を構成している。なお、これらの列と行の数は特に限定されるものではない。そして、第２レンズアレイ３４０は、第１レンズアレイ３２０の各小レンズ３２１にそれぞれ対応する小レンズ（レンズセル）３４１を備えてなる。
【００１６】
図４の構成において、照明装置１００のリード線６Ａとトリガ線６Ｂとを基準面に対して図２のような角度θ１の関係に分配配線し、その基準面を小レンズ３２１の長辺方向と平行に配置した場合、リード線６Ａとトリガ線６Ｂに起因する光の影は図５の（ａ）のようになる。すなわち、第１レンズアレイ３２０面上では、図５の（ａ）（イ）のような状態となり、第１レンズアレイ３２０の各小レンズ３２１からの照明光が重畳される液晶パネル４１０面上では図５の（ａ）（ロ）のような上下対称状態となる。これにより、液晶パネル４１０で生成された画像の投写画像では上記影による明るさのむらの影響が低減され、その明るさのむらの補正制御も容易となる。
【００１７】
また、図２の場合に、小レンズセル３２１の短辺の長さをｌ、長辺の長さをｄとしたとき、θ１＝tan-1(l/d)とすると、リード線６Ａとトリガ線６Ｂに起因する光の影は図５の（ｂ）のようになる。すなわち、第１レンズアレイ３２０面上では、図５の（ｂ）（イ）のような状態となり、第１レンズアレイ３２０の各小レンズ３２１からの照明光が重畳される液晶パネル４１０面上では図５の（ｂ）（ロ）のような上下左右対称状態となる。これにより、液晶パネル４１０で生成された画像の投写画像では上記影による明るさのむらの影響が更に低減される。
【００１８】
図４の構成において、照明装置１００のリード線６Ａとトリガ線６Ｂとを基準面に対して図３のような角度θ２の関係に分配配線し、その基準面を小レンズ３２１の短辺方向と平行に配置した場合、リード線６Ａとトリガ線６Ｂに起因する光の影は図５の（ｃ）のようになる。すなわち、第１レンズアレイ３２０面上では、図５の（ｃ）（イ）のような状態となり、第１レンズアレイ３２０の各小レンズ３２１からの照明光が重畳される液晶パネル４１０面上では図５の（ｃ）（ロ）のような左右対称状態となる。これにより、液晶パネル４１０で生成された画像の投写画像では上記影による明るさのむらの影響が低減され、その明るさのむらの補正制御も容易となる。
【００１９】
また、図３の場合に、小レンズセル３２１の短辺の長さをｌ、長辺の長さをｄとしたとき、θ２＝tan-1(d/l)とすると、リード線６Ａとトリガ線６Ｂに起因する光の影は図５の（ｄ）のようになる。すなわち、第１レンズアレイ３２０面上では、図５の（ｄ）（イ）のような状態となり、第１レンズアレイ３２０の各小レンズ３２１からの照明光が重畳される液晶パネル４１０面上では図５の（ｄ）（ロ）のような上下左右対称状態となる。これにより、液晶パネル４１０で生成された画像の投写画像では上記影による明るさのむらの影響が更に低減される。
【００２０】
実施形態３
上記実施形態２の照明装置１００Ａのうち、インテグレータ光学系を構成している第１レンズアレイ３２０と第２レンズアレイ３４０は、同等の機能を有する光学ロッド、すなわちインテグレータロッド（またはロッドインテグレータ）に置き換えることができる。図６がそのインテグレータロッド５００を用いた本発明の実施形態３に係る照明装置１００Ｂの説明図である。インテグレータロッド５００の光出口は、照明対象である液晶パネル４１０の短辺と長辺の寸法比とほぼ同じ寸法比の短辺と長辺の矩形形状にする。なお、照明装置１００とインテグレータロッド５００との間には、必要に応じて集光素子を配置してもよい。図６の構成においては、照明装置１００のリード線６Ａとトリガ線６Ｂとを実施形態２で説明したものと同様に分配配線し、その基準面をインテグレータロッド５００の光出口の短辺または長辺の方向と平行に配置する。そうすることにより、リード線６Ａ、トリガ線６Ｂ及び基準面の配置態様に応じて、液晶パネル４１０には図５で示したのと同様の影の状態が生じ、従って、投写画像の明るさのむらに関して実施形態２と同様の効果が得られる。
【００２１】
プロジェクタ
以上の実施形態１乃至３の照明装置１００，１００Ａ，１００Ｂは、各種機器の照明装置として利用することができる。以下では、それらをプロジェクタに利用する例を説明する。図７は照明装置１００を備えたプロジェクタの光学系構成図である。この光学系は実施形態１で説明した照明装置１００を含みその出射光を所定の光に調整する手段を備えた照明光学系３００と、ダイクロイックミラー３８２，３８６、反射ミラー３８４等を有する色光分離光学系３８０と、入射側レンズ３９２、リレーレンズ３９６、反射ミラー３９４，３９８を有するリレー光学系３９０と、各色光に対応するフィールドレンズ４００，４０２，４０４及び光変調装置としての液晶パネル４１０Ｒ，４１０Ｇ，４１０Ｂと、色光合成光学系であるクロスダイクロイックプリズム４２０と、投写レンズ６００とを備えている。
【００２２】
次に、上記構成のプロジェクタの作用を説明する。まず、発光ランプ１０から出射した出射光は、反射鏡２０により反射されて又は直接、照明装置１００の前方に向かう。照明装置１００を出た光は続いて凹レンズ２００に入り、そこで光の進行方向が照明光学系３００の光軸１とほぼ平行に調整された後、インテグレータ光学系を構成する第１レンズアレイ３２０の各小レンズ３２１に入射する。第１レンズアレイ３２０は、入射光を小レンズ３２１の数に応じた複数の部分光束に分割する。第１レンズアレイ３２０を出た各部分光束は、その各小レンズ３２１にそれぞれ対応した数の小レンズ３４１を有してなる第２レンズアレイ３４０に入射する。そして、第２レンズアレイ３４０からの出射光は、偏光変換素子アレイ３６０の対応する偏光分離膜（図示省略）の近傍に集光される。その際、遮光板（図示省略）により、偏光変換素子アレイ３６０への入射光のうち、偏光分離膜に対応する部分にのみ光が入射するように調整される。
【００２３】
偏光変換素子アレイ３６０では、そこに入射した光束が同じ種類の直線偏光に変換される。そして、偏光変換素子アレイ３６０で偏光方向が揃えられた複数の部分光束は重畳レンズ３７０に入り、そこで液晶パネル４１０Ｒ，４１０Ｇ，４１０Ｂを照射する各部分光束が、対応するパネル面上で重さなり合うように調整される。
【００２４】
色光分離光学系３８０は、第１及び第２ダイクロイックミラー３８２，３８６を備え、照明光学系から射出される光を、赤、緑、青の３色の色光に分離する機能を有している。第１ダイクロイックミラー３８２は、重畳レンズ３７０から射出される光のうち赤色光成分を透過させるとともに、青色光成分と緑色光成分とを反射する。第１ダイクロイックミラー３８２を透過した赤色光は、反射ミラー３８４で反射され、フィールドレンズ４００を通って赤色光用の液晶パネル４１０Ｒに達する。このフィールドレンズ４００は、重畳レンズ３７０から射出された各部分光束をその中心軸（主光線）に対して平行な光束に変換する。他の液晶パネル４１０Ｇ，４１０Ｂの前に設けられたフィールドレンズ４０２，４０４も同様に作用する。
【００２５】
さらに、第１ダイクロイックミラー３８２で反射された青色光と緑色光のうち、緑色光は第２ダイクロイックミラー３８６によって反射され、フィールドレンズ４０２を通って緑色光用の液晶パネル４１０Ｇに達する。一方、青色光は、第２ダイクロイックミラー３８６を透過し、リレー光学系３９０、すなわち、入射側レンズ３９２、反射ミラー３９４、リレーレンズ３９６、及び反射ミラー３９８を通り、さらにフィールドレンズ４０４を通って青色光用の液晶パネル４１０Ｂに達する。なお、青色光にリレー光学系３９０が用いられているのは、青色光の光路長が他の色光の光路長よりも長いため、光の発散等による光の利用効率の低下を防止するためである。すなわち、入射側レンズ３９２に入射した部分光束をそのまま、フィールドレンズ４０４に伝えるためである。なお、リレー光学系３９０は、３つの色光のうちの青色光を通す構成としたが、赤色光等の他の色光を通す構成としてもよい。
【００２６】
３つの液晶パネル４１０Ｒ，４１０Ｇ，４１０Ｂは、入射した各色光を、与えられた映像情報に従って変調し、各色光の画像を形成する。なお、３つの液晶パネル４１０Ｒ，４１０Ｇ，４１０Ｂの光入射面側、光出射面側には、通常、偏光板が設けられている。
【００２７】
上記の各液晶パネル４１０Ｒ，４１０Ｇ，４１０Ｂから射出された３色の変調光は、これらの変調光を合成してカラー画像を形成する色光合成光学系としての機能を有するクロスダイクロイックプリズム４２０に入る。クロスダイクロイックプリズム４２０には、赤色光を反射する誘電体多層膜と、青色光を反射する誘電体多層膜とが、４つの直角プリズムの界面に略Ｘ字状に形成されている。これらの誘電体多層膜によって赤、緑、青の３色の変調光が合成されて、カラー画像を投写するための合成光が形成される。そして、クロスダイクロイックプリズム４２０で合成された合成光は、最後に投写レンズ６００に入り、そこからスクリーン上にカラー画像として投写表示される。
【００２８】
上記のようないわゆる３板式プロジェクタでは、投写画像までのミラー構成と光学構成が、リレー系を通る色の光路と、他の２色の光路では異なる。具体的には、第２レンズアレイ〜投写スクリーン間のミラー反射回数が、各光路で奇数回が偶数回に一致していれば、各光路を通過した第１レンズアレイ上の照明光はスクリーン上で一致する。たとえば、図７中の赤光路と緑光路は反射回数が共に３回（共に奇数回）なので、第１レンズアレイのセルの照明光はスクリーン上で一致する。また、青光路も５回反射で奇数回であるが、間にリレー系が有るために第１レンズアレイのセルの照明光はスクリーン上で、赤光、緑光に対して上下左右逆転する。すなわち、リレー系を通る色の光路と他の２色の光路では、第１レンズアレイで分割されたそれぞれのセルの照明光が投写画像上で上下左右逆転する。これによって、ランプのリード線、トリガー線の第１レンズアレイ上での影の状態が、スクリーン上への投写画像に色むらとして影響を与える。
しかしながら、本実施形態で示したプロジェクタによれば、照明装置１００を構成するリード線６Ａとトリガ線６Ｂの特徴的な配線により、投写画像の明るさのむらおよび色むらが改善されたプロジェクタが得られることになる。
【産業上の利用可能性】
【００２９】
本発明の照明装置は、プロジェクタなどの各種光学装置に組み込まれる照明装置として利用できる。
【図面の簡単な説明】
【００３０】
【図１】本発明の実施形態１に係る照明装置の説明図。
【図２】図１の照明装置におけるリード線とトリガ線の配線説明図（その１）。
【図３】図１の照明装置におけるリード線とトリガ線の配線説明図（その２）。
【図４】本発明の実施形態２に係る照明装置の説明図。
【図５】実施形態２の照明装置におけるリード線とトリガ線の影の発生状態を第１レンズアレイ上と照明対象物面上でそれぞれ示した説明図。
【図６】本発明の実施形態３に係る照明装置の説明図。
【図７】本発明の照明装置を備えたプロジェクタの光学系を示す構成図。
【符号の説明】
【００３１】
１…電極、２…バルブ部、３…封止部、４…導体、６，６Ａ…リード線、６Ｂ…トリガ線、１０…発光ランプ、２０…反射鏡、１００，１００Ａ，１００Ｂ…照明装置、２００…凹レンズ、３２０…第１レンズアレイ、３２１…小レンズ（レンズセル）、３４０…第２レンズアレイ、３４１…小レンズ（レンズセル）４１０，４１０Ｒ，４１０Ｇ，４１０Ｂ…液晶パネル、５００…インテグレータロッド、６００…投写レンズ。
【図１】
2005093207.tif 000003
【図２】
2005093207.tif 000004
【図３】
2005093207.tif 000005
【図４】
2005093207.tif 000006
【図５】
2005093207.tif 000007
【図６】
2005093207.tif 000008
【図７】
2005093207.tif 000009